(57)【特許請求の範囲】
【請求項１】
主剤と噴射剤とが入れられる外容器の開口部に取り付けられるハウジングと、このハウジングに設けられ外容器内の内容物を外部に噴射し得るステムを備えた第１のバルブ機構と、前記外容器内の前記ハウジングに開口部が取り付けられ前記噴射剤によって変形可能な内容器と、この内容器の開口部に設けられ前記第１のバルブの開閉動作と差動して内容器内の内容物を前記ハウジング内に噴射混合し得る第２のバルブ機構とを備え、前記第１のバルブ機構と前記第２のバルブ機構とで内外容器内の内容物を前記ステムから混合噴射可能かつ第１のバルブ機構のみを開いて外容器内の内容物のみを前記ステムから単独噴射可能とする一方、
前記ステムにアクチュエータを取り付け、このアクチュエータと前記外容器との間に規制板を着脱可能に装着し、前記第１のバルブ機構のみを開き前記第２のバルブ機構の開閉動作を規制する噴射操作の規制機構を構成したことを特徴とする二液分配エアゾールバルブ。
【請求項２】
前記噴射操作の規制機構を、前記規制板に代え、前記アクチュエータの外側の前記外容器にワンタッチキャップを設け、前記アクチュエータに突起を設け、前記ワンタッチキャップに前記突起の移動範囲を規制する溝を形成して前記第１のバルブ機構のみを開き、前記第２のバルブ機構の開閉動作を規制可能に構成したことを特徴とする請求項１記載の二液分配エアゾールバルブ。
【請求項３】
前記第１のバルブ機構を、前記外容器のマウンテンキャップに設けたステムガスケットと、このステムガスケットで開閉されるステム孔を備えた前記ステムとで構成する一方、前記第２のバルブ機構を、前記ステムの下方に間隔をあけて前記ハウジングに配置され前記ステムを介して開閉されるポペット弁で構成したことを特徴とする請求項１または２記載の二液分配エアゾールバルブ。
【発明の詳細な説明】
【０００１】
【発明の属する技術分野】
この発明は二液分配エアゾールバルブに関し、２つの内容物を混合させて同時に噴射させることができるとともに、１つの内容物だけを噴射させて洗浄することができるようにしたものである。
【０００２】
【従来の技術】
従来からエアゾール製品の一つに異なる２つの内容物を混合しない状態で充填しておき、使用の際に２つの内容物を混合して噴射させるようにしたものがあり、例えば２液で構成されるウレタン塗料では、ウレタン塗料と噴射剤を耐圧容器で構成された外容器に充填し、その硬化剤を外容器内に設けたガラス製の内容器に充填しておき、使用に際しては、外からの衝撃でガラス製の内容器を壊して２液を混合し、１つのエアゾールバルブから噴射させるようにするものがある。
【０００３】
このようなエアゾール製品では、ガラス製の内容器を破壊して２液を混合することから、１回で使い切る必要があり、内容物を小出しにして使用することができない。
【０００４】
そこで、内容器を破壊することなく２液を使用直前まで別々に保ち、単一の圧力源で使用時に小出しにできるエアゾールバルブが種々提案されており、例えば特開平５−２５４５８１号公報に開示されたエアゾールバルブでは、２つの染髪料成分を混合して使用するようになっている。
【０００５】
このエアゾールバルブでは、図３に示すように、１つの染髪料成分と噴射剤が充填される外容器１のマウンテンキャップ２に外部上方に突き出すノズル３とステムガスケット４を介して内部下方に突き出すバルブハウジング５が取り付けてあり、このバルブハウジング５内にステム６が装着され、傾けることでステムガスケット４の下面のシール面７との間に隙間を形成できるようになっている。
【０００６】
このバルブハウジング５の側面には、外容器１内と連通するオリフィス８が形成される一方、バルブハウジング５の下端部にはもう１つの染髪料成分が充填される柔軟な内容器９が取り付けられ、バルブハウジング５の底部のオリフィス１０を介して連通するようになっており、このオリフィス１０のバルブハウジング５側に栓１１が配置されてステム６の下端に連動するよう装着され、スプリング１２でオリフィス１０を塞ぐようになっている。
【０００７】
このように構成したエアゾールバルブでは、ステム６を傾けることで、ステムガスケット４の下面のシール面７との間に隙間が形成されて外容器１内の染髪料成分がオリフィス８からバルブハウジング５内に入るとともに、栓１１もオリフィス１０のシール面からずれ、内容器９内の染髪料成分も噴射剤の圧力で内容器９が押されることでバルブハウジング５内に入って２つの成分の混合物となり、混合物はノズル３内のステム６に形成した螺旋溝に沿って移動して先端の噴出口１３から外部に噴射される。
【０００８】
したがって、このエアゾールバルブでは、必要時にステム６を傾けるように操作することで必要量を噴射させて取り出すことができる。
【０００９】
【発明が解決しようとする課題】
ところが、このようなエアゾールバルブでは、バルブハウジング５内で２つの内容物が混合されて噴出口１３から噴射されるため、バルブハウジング５内に混合物が常に残り、混合物が化学反応を起こして固まったり、腐蝕性のガス等が発生したりして次の使用の際のトラブルの要因になるという問題がある。
【００１０】
特に、内容物が２液塗料のように一方が硬化剤である場合には、バルブハウジング５内に残留する混合物だけでなく、ノズル３内のステム６の螺旋溝に残留する混合物が硬化すると、小出しにできるものであっても次の使用が出来なくなるという問題がある。
【００１１】
この発明はかかる従来技術の有する課題を解決するためになされたもので、２つの内容物を混合させて同時に噴射させることができるとともに、１つの内容物だけを噴射させて洗浄することで混合物を完全に残留させることのない二液分配エアゾールバルブを提供しようとするものである。
【００１２】
【課題を解決するための手段】
上記従来技術が有する課題を解決するため、この発明の請求項１記載の二液分配エアゾールバルブは、主剤と噴射剤とが入れられる外容器の開口部に取り付けられるハウジングと、このハウジングに設けられ外容器内の内容物を外部に噴射し得るステムを備えた第１のバルブ機構と、前記外容器内の前記ハウジングに開口部が取り付けられ前記噴射剤によって変形可能な内容器と、この内容器の開口部に設けられ前記第１のバルブの開閉動作と差動して内容器内の内容物を前記ハウジング内に噴射混合し得る第２のバルブ機構とを備え、前記第１のバルブ機構と前記第２のバルブ機構とで内外容器内の内容物を前記ステムから混合噴射可能かつ第１のバルブ機構のみを開いて外容器内の内容物のみを前記ステムから単独噴射可能とする一方、
前記ステムにアクチュエータを取り付け、このアクチュエータと前記外容器との間に規制板を着脱可能に装着し、前記第１のバルブ機構のみを開き前記第２のバルブ機構の開閉動作を規制する噴射操作の規制機構を構成したことを特徴とするものである。
【００１３】
この二液分配エアゾールバルブによれば、主剤と噴射剤とが入れられる外容器の開口部に取り付けられるハウジングと、このハウジングに設けられ外容器内の内容物を外部に噴射し得るステムを備えた第１のバルブ機構と、前記外容器内の前記ハウジングに開口部が取り付けられ前記噴射剤によって変形可能な内容器と、この内容器の開口部に設けられ前記第１のバルブの開閉動作と差動して内容器内の内容物を前記ハウジング内に噴射混合し得る第２のバルブ機構とを備え、前記第１のバルブ機構と前記第２のバルブ機構とで内外容器内の内容物を前記ステムから混合噴射可能かつ第１のバルブ機構のみを開いて外容器内の内容物のみを前記ステムから単独噴射可能とする一方、前記ステムにアクチュエータを取り付け、このアクチュエータと前記外容器との間に規制板を着脱可能に装着し、前記第１のバルブ機構のみを開き前記第２のバルブ機構の開閉動作を規制する噴射操作の規制機構を構成してあり、第１のバルブ機構の開動作に遅れて開動作する第２のバルブ機構をともに開状態とすることで前記第１のバルブ機構と前記第２のバルブ機構とで内外容器内の内容物を前記ステムから混合噴射できるようになり、第１のバルブ機構のみを開状態として外容器内の内容物のみを前記ステムから単独噴射可能にでき、噴射剤のみの噴射による洗浄によって残留混合物を完全に排出できるようにしている。また、前記ステムにアクチュエータを取り付け、このアクチュエータと前記外容器との間に規制板を着脱可能に装着し、前記第１のバルブ機構のみを開き前記第２のバルブ機構の開閉動作を規制する噴射操作の規制機構を構成してあり、規制板を挟むことで、押し下げ過ぎることを防止し、確実に洗浄状態にできるようになる。
【００１４】
ここで、差動とは、第１のバルブ機構と第２のバルブ機構との開閉動作が同時に行われず何等かの差をもって開閉動作が行われることをいい、例えば時間的な差をもって動作する場合をいう。
【００１５】
また、この発明の請求項２記載の二液分配エアゾールバルブは、請求項１記載の構成に加え、前記噴射操作の規制機構を、前記規制板に代え、前記アクチュエータの外側の前記外容器にワンタッチキャップを設け、前記アクチュエータに突起を設け、前記ワンタッチキャップに前記突起の移動範囲を規制する溝を形成して前記第１のバルブ機構のみを開き、前記第２のバルブ機構の開閉動作を規制可能に構成したことを特徴とするものである。
【００１６】
この二液分配エアゾールバルブによれば、前記噴射操作の規制機構を、前記規制板に代え、前記アクチュエータの外側の前記外容器にワンタッチキャップを設け、前記アクチュエータに突起を設け、前記ワンタッチキャップに前記突起の移動範囲を規制する溝を形成して前記第１のバルブ機構のみを開き、前記第２のバルブ機構の開閉動作を規制可能に構成してあり、ワンタッチキャップの溝とアクチュエータの突起によっても押し下げ過ぎることを防止し、確実に洗浄状態にできるようになる。
【００１７】
さらに、この発明の請求項３記載の二液分配エアゾールバルブは、請求項１または２記載の構成に加え、前記第１のバルブ機構を、前記外容器のマウンテンキャップに設けたステムガスケットと、このステムガスケットで開閉されるステム孔を備えた前記ステムとで構成する一方、前記第２のバルブ機構を、前記ステムの下方に間隔をあけて前記ハウジングに配置され前記ステムを介して開閉されるポペット弁で構成したことを特徴とするものである。
【００１８】
この二液分配エアゾールバルブによれば、前記第１のバルブ機構を、前記外容器のマウンテンキャップに設けたステムガスケットと、このステムガスケットで開閉されるステム孔を備えた前記ステムとで構成する一方、前記第２のバルブ機構を、前記ステムの下方に間隔をあけて前記ハウジングに配置され前記ステムを介して開閉されるポペット弁で構成するようにしており、第１のバルブ機構を通常のエアゾールバルブと同様のステム、ステム孔、ステムガスケットによるバルブ機構で構成し、これと間隔をあけてポペット弁を設けて第２のバルブ機構とするようにしており、簡単な構造で混合物の同時噴射と一方の内容物だけの噴射による洗浄などが可能となる。
【００１９】
【発明の実施の形態】
以下、この発明の二液分配エアゾールバルブの一実施の形態について図面に基づき詳細に説明する。
図１および図２はこの発明の二液分配エアゾールバルブの一実施の形態にかかり、図１は全体の縦断面図、図２（ａ）は混合噴射状態の拡大断面図、図２（ｂ）は第１のバルブ機構のみを開いた洗浄状態の拡大断面図である。
【００２０】
この二液分配エアゾールバルブ２０は、金属製等の硬い耐圧容器で構成された外容器２１の開口部を塞ぐ略底付きの二重筒状のマウンテンカップ２２の内筒部分の内側に装着されるようになっており、第１のバルブ機構Ａと第２のバルブ機構Ｂとを備えて構成されている。
【００２１】
第１のバルブ機構Ａは、ステム２３を備え、側方にステム孔２４が形成されて上端が開口した中心部の噴射通路２５に連通しており、バルブ閉塞状態のときステム孔２４を塞ぐようにステムガスケット２６が配置され、このステムガスケット２６がマウンテンキャップ２２の中心部下面に装着され、マウンテンカップ２２の内筒部分の内側に嵌合固定されたバルブハウジング２７の上端外周で押さえられている。
【００２２】
このバルブハジング２７には、ステム２３が動作するとともに、異なる２つの内容物を混合する混合室２８が形成され、混合室２８の底部とステム２３の下面との間にスプリング２９が介装されてステム２３をバルブ閉塞方向（図１では、上方向）に付勢するようになっている。そして、バルブハウジング２７の混合室２８に連通するハウジング孔３０がバルブハウジング２３の側面に形成され、Ｌ字状のコネクタ３１を介してディップチューブ３２が取り付けられ、外容器２１内の内容物を混合室２８内に導入できるようにしてある。
この外容器２１内には、一方の内容物と噴射剤とが入れられる。
【００２３】
また、このバルブハウジング２７の混合室２８の底部中心には、貫通孔３３が形成され、この貫通孔３３の下部に下部バルブハウジング３４がねじで連結され、この下部バルブハウジング３４の下端部に噴射剤の圧力で押し潰すように変形できる内容器３５の開口部がねじで取り付けられ貫通孔３３を介して混合室２８と連通するようになっている。
【００２４】
なお、バルブハウジング２７への下部バルブハウジング３４の連結や下部バルブハウジング３４への内容器３５の連結はねじに限らず、密封状態で取り付けることができれば接着や溶着など他の連結方法でも良い。
【００２５】
これら貫通孔３３と下部バルブハウジング３４との間に第２のバルブ機構Ｂが設けられ、第１のバルブ機構Ａでの開閉動作と開閉動作に時間的な差をもって内容器３５の内容物の混合室２８への導入を開閉できるようにしてある。
【００２６】
この第２のバブル機構Ｂは、貫通孔３３の中間部から下方が大径に形成されて段差部がシール面３６とされ、このシール面３６を弁座として開閉するポペット弁３７が第１のバルブ機構Ａのステム２３の下端と間隔をあけて下方から装着され、下部バルブハウジング３４の弁動作室３８で押さえられるとともに、スプリング３９でシール状態を保持するように上方に付勢してある。
【００２７】
さらに、この弁動作室３８に連通して下部バルブハウジング３４の中心部に下部ハウジング孔４０が形成され、下端部のオリフィス４１を介して内容器３５内と連通するようになっている。
【００２８】
そして、噴射剤の圧力で変形可能な内容器３５は金属箔製とされたり、合成樹脂製などとされ、もう一方の内容物が入れられる。
【００２９】
次に、このように構成した二液分配エアゾールバルブ２０の動作について図２により説明する。
この二液分配エアゾールバルブ２０を備える外容器２１には、例えば２液塗料を構成するウレタン塗料（主剤）と噴射剤が入れられ、変形可能な内容器３５には、硬化剤が入れられる。
【００３０】
まず、２つの内容物を混合して噴射する場合には、図２（ａ）に示すように、第１のバルブ機構Ａのステム２３をスプリング２９に抗して押し下げ、このステム２３の下端で第２のバルブ機構Ｂのポペット弁３７をスプリング３９に抗して押し下げる。
【００３１】
すると、第１のバルブ機構Ａのステム２３が押し下げられることで、ステム孔２４がステムガスケット２６から離れて開口し、噴射剤の圧力によりディップチューブ３２、コネクタ３１を通り混合室２８内まで上がってきている外容器２１の内容物が、このステム孔２４、噴射通路２５を経て図示しないアクチュエータから外部に噴射される。
【００３２】
この第１のバルブ機構Ａのステム２３が押し下げられてステム孔２４が開口されて噴射が開始された後、ステム２３がさらに押し下げられるわずかな時間差の後、第２のバルブ機構Ｂのポペット弁３７が押し下げられると、ポペット弁３７の弁座であるシール面３６に隙間が形成されて内容器３５と混合室２８内が連通され、噴射剤の圧力で押し潰される内容器３５内の内容物がオリフィス４１、下部ハウジング孔４０、弁動作室３８および貫通孔３３を通って混合室２８に導入され、外容器２１の内容物と混合されて、混合物としてステム孔２４、噴射通路２５を経て図示しないアクチュエータから外部に噴射される。
【００３３】
したがって、ステム２３を強く押し込んでポペット弁３７まで押し下げるようにすることで、内外容器２１，３５内の内容物を混合室２８内で混合して噴射させることができ、例えば２液塗料を構成するウレタン塗料でスプレー塗装することができる。
【００３４】
次に、外容器２１の内容物で洗浄する場合、例えば噴射剤だけ、あるいは主剤と噴射剤の両方で洗浄する場合には、図２（ｂ）に示すように、第１のバルブ機構Ａのステム２３だけをスプリング２９に抗して押し下げ、このステム２３の下端で第２のバルブ機構Ｂのポペット弁３７を押し下げないようにする。
【００３５】
すると、第１のバルブ機構Ａのステム２３が押し下げられることで、ステム孔２４がステムガスケット２６から離れて開口し、噴射剤の圧力によりディップチューブ３２、コネクタ３１を通り混合室２８内まで上がってきている外容器２１の内容物が、このステム孔２４、噴射通路２５を経てアクチュエータ４２から外部に噴射される。
【００３６】
これにより、混合室２８内に残っている混合物や混合室２８からステム孔２４、噴射通路２５を経てアクチュエータ４２の先端までの残留混合物が外部に押出され、洗浄状態となる。
【００３７】
この洗浄状態とする場合に、外容器２１全体を倒立させて噴射剤だけがディップチューブ３２から導入されるようにすれば、主剤を噴射させずに効率的に洗浄することができる。
【００３８】
このような二液分配エアゾールバルブ２０によれば、２つの内容物を混合して使用する場合にも必要量だけを小出しにして使用することができるとともに、混合物を洗浄状態として完全に排出することができ、残留物による問題を解消することができる。
【００３９】
一方、この二液分配エアゾールバルブ２０で洗浄状態にする場合に、ステム２３を押し下げ過ぎると、ポペット弁３７が押されて混合物が噴射されることから、第２のバルブ機構Ｂの動作を規制する規制機構４３を設けておくことが有効であり、例えば図２（ｂ）に示すように、アクチュエータ４２とマウテンキャップ２２との間に規制板４４を挾むようにし、アクチュエータ４２を規制板４４に押し当てることでこれ以上押し下げることができないようにする。
【００４０】
なお、規制機構４３としては、規制板４４を挾む場合に限らず、アクチュエータ４２の外側にワンタッチキャップを設け、アクチュエータに突起を設け、この突起の移動範囲を規制する溝をワンタッチキャップに形成するなど他の構造であっても良い。
【００４１】
なお、このような二液分配エアゾールバルブ２０を用いることが好適なエアゾール製品としては、ウレタン塗料のほか、２つの内容物の混合を避けた状態で充填しておく必要があるとともに、使用に際しては混合しなければならない２つのエアゾール内容物であり、例えば、次のような２つのものを主成分とするエアゾール製品を例示することができる。
【００４２】
1)  Ｈ2Ｏ2とチオ尿素／亜硫酸カリとを内容物とするもの
ヘアセット剤，シャンプー，リンスなど、
2)  Ｈ2Ｏ2とチオ尿素とを内容物とするもの
シェービングフォーム，先顔料，清拭剤，クリーナー，
マッサージローションなど
3)  ＬＰＧとＨ2Ｏ／無機物とを内容物とするもの
日焼け止め，脱毛・脱色剤，ボディーシャンプー，筋肉消炎剤など
4)  ピロガロールと亜硫酸ソーダ／硫酸鉄とを内容物とする染毛剤
5)  Ｈ2Ｏ2とアンモニア／亜硫酸ナトリウムとを内容物とするパーマ剤など
6)  Ｖc,Ｖe,ｏｉｌと界面活性剤／水とを内容物とする皮膚疾患治療剤など
7)  ＬＰＧ／ＤＭＥとＨ2Ｏ／アルコール／無機物とを内容物とする冷却剤等
8)  Ｈ2Ｏ2と亜硫酸カリとを内容物とするブリーチ剤など
9)  シリコンワニスと触媒とを内容物とする接着剤など
10)  ポリオールとイソシアネートを内容物とするウレタンワニスなど
11)  アルカリと酸とを内容物とする洗浄剤など
【００４３】
【発明の効果】
以上一実施の形態とともに具体的に説明したように、この発明の請求項１記載の二液分配エアゾールバルブによれば、主剤と噴射剤とが入れられる外容器の開口部に取り付けられるハウジングと、このハウジングに設けられ外容器内の内容物を外部に噴射し得るステムを備えた第１のバルブ機構と、前記外容器内の前記ハウジングに開口部が取り付けられ前記噴射剤によって変形可能な内容器と、この内容器の開口部に設けられ前記第１のバルブの開閉動作と差動して内容器内の内容物を前記ハウジング内に噴射混合し得る第２のバルブ機構とを備え、前記第１のバルブ機構と前記第２のバルブ機構とで内外容器内の内容物を前記ステムから混合噴射可能かつ第１のバルブ機構のみを開いて外容器内の内容物のみを前記ステムから単独噴射可能とする一方、前記ステムにアクチュエータを取り付け、このアクチュエータと前記外容器との間に規制板を着脱可能に装着し、前記第１のバルブ機構のみを開き前記第２のバルブ機構の開閉動作を規制する噴射操作の規制機構を構成したので、第１のバルブ機構の開動作に遅れて開動作する第２のバルブ機構をともに開状態とすることで前記第１のバルブ機構と前記第２のバルブ機構とで内外容器内の内容物を前記ステムから混合噴射することができるとともに、第１のバルブ機構のみを開状態として外容器内の内容物のみを前記ステムから単独噴射可能にでき、噴射剤のみの噴射による洗浄によって残留混合物を完全に排出することができる。また、前記ステムにアクチュエータを取り付け、このアクチュエータと前記外容器との間に規制板を着脱可能に装着し、前記第１のバルブ機構のみを開き前記第２のバルブ機構の開閉動作を規制する噴射操作の規制機構を構成したので、規制板を挟むことで、押し下げ過ぎることを防止でき、確実に洗浄状態にすることができる。
【００４４】
また、この発明の請求項２記載の二液分配エアゾールバルブによれば、前記噴射操作の規制機構を、前記規制板に代え、前記アクチュエータの外側の前記外容器にワンタッチキャップを設け、前記アクチュエータに突起を設け、前記ワンタッチキャップに前記突起の移動範囲を規制する溝を形成して前記第１のバルブ機構のみを開き、前記第２のバルブ機構の開閉動作を規制可能に構成したので、ワンタッチキャップの溝とアクチュエータの突起によっても押し下げ過ぎることを防止でき、確実に洗浄状態にすることができる。
【００４５】
さらに、この発明の請求項３記載の二液分配エアゾールバルブによれば、前記第１のバルブ機構を、前記外容器のマウンテンキャップに設けたステムガスケットと、このステムガスケットで開閉されるステム孔を備えた前記ステムとで構成する一方、前記第２のバルブ機構を、前記ステムの下方に間隔をあけて前記ハウジングに配置され前記ステムを介して開閉されるポペット弁で構成するようにしたので、第１のバルブ機構を通常のエアゾールバルブと同様のステム、ステム孔、ステムガスケットによるバルブ機構で構成し、これと間隔をあけてポペット弁を設けて第２のバルブ機構とすることができ、簡単な構造で混合物の同時噴射と一方の内容物だけの噴射による洗浄などが可能となる。
【図面の簡単な説明】
【図１】この発明の二液分配エアゾールバルブの一実施の形態にかかる全体の縦断面図である。
【図２】この発明の二液分配エアゾールバルブの一実施の形態にかかり、（ａ）は混合噴射状態の拡大断面図、（ｂ）は第１のバルブ機構のみを開いた洗浄状態の拡大断面図である。
【図３】従来の二液分配エアゾールバルブの縦断面図である。
【符号の説明】
２０  二液分配エアゾールバルブ
２１  外容器
２２  マウンテンカップ
２３  ステム（第１のバルブ機構）
２４  ステム孔
２５  噴射通路
２６  ステムガスケット
２７  バルブハウジング
２８  混合室
２９  スプリング
３０  ハウジング孔
３１  コネクタ
３２  ディップチューブ
３３  貫通孔
３４  下部バルブハウジング
３５  内容器
３６  シール面（弁座）
３７  ポペット弁（第２のバルブ機構）
３８  弁動作室
３９  スプリング
４０  下部ハウジング
４１  オリフィス
４２  アクチュエータ
４３  規制機構
４４  規制板
Ａ  第１のバルブ機構
Ｂ  第２のバルブ機構
【図１】
0004326132.tif 000002
【図２】
0004326132.tif 000003
【図３】
0004326132.tif 000004